(57)【要約】【課題】メンテナンス性のよい電子機器用の操作スイッチ機構を提供する。【解決手段】ＩＣレコーダ１におけるスライド操作が可能な操作スイッチ釦を有する操作スイッチ機構部２０は、ＩＣレコーダ本体３と、操作ユニット１０とで構成され、該操作ユニット１０は、上記本体３に対して操作ユニット１０側の枠部材１１を溝部３ｂ，３ｃのビス穴で固定して取り付けられる。操作ユニット１０には、操作スイッチ釦１２と、スイッチ群をオンオフするためのスライド板１４と、ゴムローラ１６，１７を保持するクリックバネ部材１５とを有しており、ゴムローラ１６，１７は、本体３側に設けられる内側カム面部３ｍ，３ｎの凸部３ｄと３ｅと３ｆ、カム面３ｉ，３ｊ、さらに、傾斜カム面３ｇ，３ｈ等に当接し、操作スイッチ釦１２が各割り出し位置にクリック保持される。【選択図】図２
2005302580.tif 000002
【特許請求の範囲】
【請求項１】
所定形状の第一及び第二のカム面を有した第一の部材と、
上記第一の部材に対して上記第一及び第二のカム面に沿って相対的にスライド移動し、上記第一及び第二のカム面に向かい付勢手段により付勢された第一及び第二のローラを有した第二の部材と、
上記第一及び第二のカム面にそれぞれに配置された凸部と、
上記第一のローラが、上記第一のカム面に構成された上記凸部に対し上記スライド方向に沿った一方向に第一の反力が発生するように当接するとともに、上記第二のローラが上記第二のカム面に構成された上記凸部に対し上記一方向とは相反する方向に第二の反力が発生するように当接して上記第二の部材を所定の安定位置に保持するように構成されたデータ記録再生装置の操作スイッチ機構において、
操作者がスライド操作することにより上記第二の部材を上記スライド移動させることが可能なスライド操作部材と、
上記データ記録再生装置の外装の一部を構成し、上記第二の部材と上記スライド操作部材とを組み付け可能な第三の部材と、
を有し、上記第一の部材は上記データ記録再生装置の本体と一体的に構成され、上記第三の部材は、上記第二の部材と上記スライド操作部材とが組み付けられた状態で、上記第一の部材、または、上記データ記録再生装置の本体に対して着脱が可能な取り付け手段を具備することを特徴とする操作スイッチ機構。
【請求項２】
上記第一及び第二のローラは、上記第一のローラの回転軸の軸心を含む上記スライド方向と直交する平面上に上記第二のローラの回転軸の軸心が含まれない位置にそれぞれ配置されていることを特徴とする請求項１に記載の操作スイッチ機構。
【請求項３】
上記付勢手段は、弾性バネで構成され、上記第一のローラを上記第一のカム面に付勢する力量と、上記第二のローラを上記第二のカム面に付勢する力量とが略同一となるように構成されていることを特徴とする請求項１に記載の操作スイッチ機構。
【請求項４】
上記付勢手段は、板バネ状部材で構成され、上記第一のローラを保持する板バネ状部材の支点部分から上記第一のローラの保持部分までの長さと、上記第二のローラを保持する上記板バネ状部材の支点部分から上記第二のローラの保持部分までの長さと略同一となるように構成されていることを特徴とする請求項１に記載の操作スイッチ機構。
【請求項５】
上記第一及び第二のカム面の同一方向の一端は、それぞれ斜面で構成されており、
上記斜面は上記斜面の始端側よりも終端側で上記第一のカム面と上記第二のカム面との間隔が狭くなるように構成されていることを特徴とする請求項１に記載の操作スイッチ機構。
【発明の詳細な説明】
【技術分野】
【０００１】
本発明は、電子機器本体に設けられるスライド操作の操作スイッチ機構に関する。
【背景技術】
【０００２】
従来、小型電子機器に設けられるスライド操作スイッチ機構として特許文献１に開示されたものは、相対移動する２つの部材の所定位置での移動抵抗を生じさせ、所望の移動位置で選択的に停止させるための機構に関するものである。この機構は、２枚の板バネ部の先端対称位置に２つのゴムローラを配し、本体ケースの凸状カム部当接させるような構造を有している。
【０００３】
また、従来の操作スイッチ機構の一般的なものにおいては、バネ付勢される金属のボールをクリック位置に配された係合穴に嵌入、または、脱出させることによってクリック力を得る機構が適用されていた。
【特許文献１】特許文献１は、実開平６−８１０１６号公報である。
【発明の開示】
【発明が解決しようとする課題】
【０００４】
上述した特許文献１に開示されたクリック機構によれば、２つのゴムローラが板バネ上の対称位置に配されているために上記板バネが撓んで接近したときに互いに干渉することがないように上記板バネとゴムローラとを配置する必要があって、撓み方向の占有スペースが大きくなる。また、上記本体ケースの上記板バネが直接取り付けられているために、故障等で上記板バネを取り外す必要が生じたとき、本体に取り付けられている他の部品も同時に取り外す必要があり、上記取り外しが困難であった。
【０００５】
上述した金属のボールを適用する従来のクリック機構では、クリック作用時に音が発生し、録音時に雑音として記録される可能性があった。また、頻繁な操作を繰り返すＩＣレコーダ等に適用する場合は、耐久性上の問題があった。
【０００６】
本発明は、上述の問題を解決するためになされたものであり、操作音が静かであって、耐久性に優れ、かつ、メンテナンス性のよい操作スイッチ機構を提供することを目的とする。
【課題を解決するための手段】
【０００７】
本発明の請求項１記載の操作スイッチ機構は、所定形状の第一及び第二のカム面を有した第一の部材と、上記第一の部材に対して上記第一及び第二のカム面に沿って相対的にスライド移動し、上記第一及び第二のカム面に向かい付勢手段により付勢された第一及び第二のローラを有した第二の部材と、上記第一及び第二のカム面にそれぞれに配置された凸部と、上記第一のローラが、上記第一のカム面に構成された上記凸部に対し上記スライド方向に沿った一方向に第一の反力が発生するように当接するとともに、上記第二のローラが上記第二のカム面に構成された上記凸部に対し上記一方向とは相反する方向に第二の反力が発生するように当接して上記第二の部材を所定の安定位置に保持するように構成されたデータ記録再生装置の操作スイッチ機構において、操作者がスライド操作することにより上記第二の部材を上記スライド移動させることが可能なスライド操作部材と、上記データ記録再生装置の外装の一部を構成し、上記第二の部材と上記スライド操作部材とを組み付け可能な第三の部材とを有しており、上記第一の部材は、上記データ記録再生装置の本体と一体的に構成され、上記第三の部材は、上記第二の部材と上記スライド操作部材とが組み付けられた状態で、上記第一の部材、または、上記データ記録再生装置の本体に対して着脱が可能な取り付け手段を具備する。
【０００８】
本発明の請求項２記載の操作スイッチ機構は、請求項１に記載の操作スイッチ機構において、上記第一及び第二のローラは、上記第一のローラの回転軸の軸心を含む上記スライド方向と直交する平面上に上記第二のローラの回転軸の軸心が含まれない位置にそれぞれ配置されている。
【０００９】
本発明の請求項３記載の操作スイッチ機構は、請求項１に記載の操作スイッチ機構において、上記付勢手段は、弾性バネで構成され、上記第一のローラを上記第一のカム面に付勢する力量と、上記第二のローラを上記第二のカム面に付勢する力量とが略同一となるように構成されている。
【００１０】
本発明の請求項４記載の操作スイッチ機構は、請求項１に記載の操作スイッチ機構において、上記付勢手段は、板バネ状部材で構成され、上記第一のローラを保持する板バネ状部材の支点部分から上記第一のローラの保持部分までの長さと、上記第二のローラを保持する上記板バネ状部材の支点部分から上記第二のローラの保持部分までの長さと略同一となるように構成されている。
【００１１】
本発明の請求項５記載の操作スイッチ機構は、請求項１に記載の操作スイッチ機構において、上記第一及び第二のカム面の同一方向の一端は、それぞれ斜面で構成されており、上記斜面は上記斜面の始端側よりも終端側で上記第一のカム面と上記第二のカム面との間隔が狭くなるように構成されている。
【発明の効果】
【００１２】
本発明によれば、操作音が静かで耐久性も優れ、かつ、メンテナンス性のよい電子機器等の操作スイッチ機構を提供することができる。
【発明を実施するための最良の形態】
【００１３】
以下、図を用いて本発明の実施形態を説明する。  
図１は、本発明の一実施形態である操作スイッチ機構部が組み込まれるデータ記録再生装置としてのＩＣレコーダの外観を示す斜視図である。図２は、上記ＩＣレコーダに組み付けられる上記操作スイッチ機構部の分解斜視図である。図３は、上記操作スイッチ機構部を構成する操作ユニットの斜視図である。図４は、操作スイッチ機構部によってオンオフが切り換えられる操作スイッチ群の配置図である。
【００１４】
なお、以下の説明において、後述する操作スイッチ釦１２のスライド方向をＸ方向とし、Ｘ方向の前方側を＋側、手前側を−側とし、さらに、Ｘ方向と直交する厚み方向をＹ方向とし、Ｘ，Ｙ方向と直交する方向をＺ方向として説明する。
【００１５】
本実施形態のＩＣレコーダ１は、図１に示すように記録再生部等の各構成部材を支持するデータ記録再生装置本体であるＩＣレコーダ本体３を覆う外装カバー２を有しており、該外装カバー２の外面に配置される部材として、メニュー操作スイッチ釦４ａ，送り操作スイッチ釦４ｂ，新ファイル設定スイッチ釦４ｃなどの操作スイッチ釦と、ＬＣＤ表示部５と、発音部６と、電池室蓋７と、ＵＳＢコネクタ部８等を有している。さらに、外装カバー２の左側面上方部に記録，再生，送り動作を指示するための操作スイッチ機構部２０が配置されている。
【００１６】
なお、操作スイッチ機構部２０に設けられる操作スイッチ釦１２は、Ｘ方向にスライド操作が可能であり、図１に示す停止位置であるＳＴＯＰ位置から録音位置であるＲＥＣ位置、また、再生位置であるＰＬＡＹ位置等の各クリック割り出し位置に移動可能であり、その割り出し位置にて図４に示すようにＸ方向に沿って配置された録音開始用ＲＥＣスイッチ３２，録音停止用３４，再生指示用ＰＬＡＹスイッチ３３をオンオフし、各位置にクリック保持される。さらに、操作スイッチ釦１２を上記ＰＬＡＹ位置よりさらに−Ｘ側のＲＥＶ位置まで押圧してレビュー指示用ＲＥＶスイッチ３５をオンさせ、上記押圧を解放すると上記ＰＬＡＹ位置に戻る。上記各スイッチは、レバー操作タイプのスイッチであって、上記各スイッチのオンオフは、操作スイッチ釦１２に結合されるスイッチ操作突起１４ｄおよび１４ｅによって操作される。
【００１７】
操作スイッチ機構部２０は、図２に示すように操作ユニット１０と、該操作ユニット１０が装着され、カム部を有する第一の部材であるＩＣレコーダ本体（以下、本体と記載する）３とからなる。
【００１８】
上記操作ユニット１０は、１つのユニットとして組み立てられ、本体３に対して着脱が可能である。この操作ユニット１０は、ＩＣレコーダ１の外装の一部を兼ねる第三の部材である枠部材１１と、枠部材にスライド自在に支持されるスライド操作部材である操作スイッチ釦１２と、操作スイッチ釦１２と枠部材１１の間に挿入される摺動部材であるシート部材１３と、操作スイッチ釦１２に結合され、操作スイッチ釦１２と共に枠部材１１に対してスライド支持される第二の部材を構成するスライド板１４と、スライド板１４に固着され、第二の部材を構成するクリックバネ部材１５と、クリックバネ部材１５の板バネ部先端に回転可能に支持され、ツインゴムローラを構成する第一ローラであるゴムローラ１６，第二のローラであるゴムローラ１７と、クリックバネ部材１５をスライド板１４に固着させるための止め板１８とを有してなる。
【００１９】
本体３は、合成樹脂材料で形成され、枠部材１１が当て付けられる当て付け面３ａと、当て付け面３ａの上下に設けられ、枠部材１１を固定するための溝部３ｂ，３ｃと、内側上，下に設けられる第一のカム面部３ｍと第二のカム面部３ｎと、ビス穴等が設けられる。
【００２０】
上記第一のカム面部３ｍは、上面にＸ方向に沿って配置される１つの上側凸部３ｄと、−Ｘ側端部に配置される傾斜カム面３ｇと、傾斜カム面３ｇの＋Ｘ側端部に設けられる急峻なカム面３ｉとを有している。
【００２１】
上記第二のカム面部３ｎは、下面にＸ方向に沿って配置される２つの下側凸部３ｅ，３ｆと、−Ｘ側端部に配置される傾斜カム面３ｈと、傾斜カム面３ｈの＋Ｘ側端部に設けられる急峻なカム面３ｊとを有している。
【００２２】
なお、上側凸部３ｄおよび下側凸部３ｅ，３ｆは、それぞれＸ方向に関して、完全な対称形状の凸部ではなく、上側凸部３ｄは、＋Ｘ側が僅かに膨らんでおり、−Ｘ側が僅かに凹んでいる。下側凸部３ｅ，３ｆは、−Ｘ側が僅かに膨らんでおり、＋Ｘ側が僅かに凹んでいる。さらに、傾斜カム面３ｇ，３ｈは、−Ｘ方向に向けて、つまり、始端側から終端側に向けて互いの間隔が狭くなるように傾斜しているものとする（図５）。
【００２３】
枠部材１１は、ビス挿通穴１１ｄ，１１ｅを有する本体３側に固定可能な上下の固定用突起部１１ｆ，１１ｇと、操作スイッチ釦１２の軸部が挿通する開口部１１ａと、内側摺動面１１ｃとを有しており、全体にメッキが施されている。
【００２４】
操作スイッチ釦１２は、Ｚ方向に突出する軸（ボス）１２ａを有しており、枠部材１１の前面部にスライド自在に組み付けられる。
【００２５】
シート部材１３は、摺動性が良好なシートで形成され、軸１２ａが挿通する穴部１３ａと、四角部にガタつき防止用の凸部１３ｂが設けられる。このシート部材１３は、操作スイッチ釦１２と枠部材１１の間の摺動面部に挿入され、枠部材１１のメッキ部を保護し、かつ、操作スイッチ釦のスライド移動をスムーズに行わせる。
【００２６】
スライド板１４は、摺動性のよい樹脂材料（ポリアセタール樹脂等）で形成され、枠部材側の四角に設けられ、Ｙ方向に弾性変形可能であって、操作スイッチ釦の回動ガタつき防止用の突起部１４ａと、操作スイッチ釦１２の軸１２ａがガタなく嵌入する軸穴１４ｂと、軸穴１４ｂの側方に配される回転止めピン１４ｃと、Ｘ方向に沿って配され、Ｚ方向に突出する２つのスイッチ操作突起１４ｄおよび１４ｅとが設けられている。
【００２７】
クリックバネ部材１５は、金属バネ板材料（例えば、バネ用ステンレス材）で形成され、中央連結部１５ａと、上記連結部１５ａの上下位置からから折り曲げて形成され、−Ｘ方向に延びる付勢手段（弾性バネ）としての上側の第一の板バネ部１５ｂと下側の第二の板バネ部１５ｃとが設けられている。上記中央連結部１５ａには、ピン穴１５ｅ，軸穴１５ｄ，突起挿通穴１５ｆが設けられる。また、第一の板バネ部１５ｂの先端部には、ゴムローラ１６が回転軸である軸１６ａによって回転自在に支持されている。同様に第二の板バネ部１５ｃの先端部には、ゴムローラ１７が回転軸である軸１７ａによって回転自在に支持されている。但し、ゴムローラ１６と軸１６ａの間、ゴムローラ１７と軸１７ａの間にはそれぞれ回転摺動性をよくするためにポリアセタール樹脂等のスリーブが介在している。なお、ゴムローラ１６，１７は、ゴム以外、エラストマー樹脂等の耐摩耗性があり、また、弾性があって操作音の発生しにくい合成樹脂で形成してもよい。
【００２８】
上記軸１６ａと軸１７ａの位置は、Ｘ方向に異なった位置にある。言い換えれば、上記ゴムローラ１６と１７とは、軸１６ａの軸心を含む上記スライド方向と直交する平面上に軸１７ａの軸心が含まれない位置にそれぞれ配置されているものとする。このようにゴムローラ１６と１７との位置をずらすことによって該ゴムローラが変位して接近したときにゴムローラを支持する板バネ部１５ｂと１５ｃの端部を干渉させないようにしている。この形状を採用することでＹ方向の占有スペ−スを減らすことができる。
【００２９】
上述のようにゴムローラ１６と１７との位置をずらして配置したとしても該ゴムローラが受ける反力が略等しくなるような板バネ部形状が採用されている。すなわち、板バネ部１５ｂの支点部分からゴムローラ１６の軸１６ａまでの長さであるバネ有効長Ｌ1 と、板バネ部１５ｃの支点部分からゴムローラ１７の軸１７ａまでの長さであるバネ有効長Ｌ2 と略同一となるように構成され（図４）、両者のバネ剛性が同等になるように設定され、撓み量も同等となるようになっている。従って、クリックバネ部材１５が本体３の内側の第一，二のカム面部３ｍ、３ｎに組み込まれた状態では、ゴムローラ１６と１７とは、上側凸部３ｄと２つの下側凸部３ｅ，３ｆ、また、カム面３ｉとカム面３ｊ、さらに、傾斜カム面３ｇ，３ｈに対して略同一力量の相反する当接力（第一の反力および第二の反力）で当接することになり、クリックバネ部材１５を介して操作スイッチ釦１２が適度なクリック力を受け、安定位置である各クリック割り出し位置で保持され、さらに、適度な戻し付勢力を受けることになる。
【００３０】
上述した構成を有する操作ユニット１０を１つのユニットとして組み立てる場合、まず、操作スイッチ釦１２の軸１２ａを枠部材１１の開口部１１ａに挿通させ、スライド板１４の軸穴１４ｂに嵌入させる。そのとき、スライド板１４は、四角の突起部１４ａを枠部材１１の内側摺動面１１ｃに当接させた状態で枠部材１１の内面部に挿入する。そして、クリックバネ部材１５の中央連結部１５ａのピン穴１５ｅと軸穴１５ｄにスライド板１４のピン１４ｃと操作スイッチ釦１２の軸１２ａとをそれぞれ嵌入、挿入し、同時に、スライド板１４のスイッチ操作突起１４ｅを突起挿通穴１５ｆに挿入する。上述したクリックバネ部材１５の装着で止め板１８の切り欠き１８ｂを軸１２ａの先端部の止め板溝１２ｂに係合させ、かつ、ピン穴１８ａをピン１４ｃに嵌入させてクリックバネ部材１５をスライド板１４に固着させる。この組み付け状態で操作スイッチ釦１２，スライド板１４，クリックバネ部材１５は、枠部材１１にＸ方向にスライド自在に支持されるユニット化状態となる。なお、上記ユニット化状態でスライド移動可能な操作スイッチ釦１２の回動は、枠部材１１の前面側の浅いスライド溝によって規制され、また、スライド板１４の回動は、枠部材１１の内側摺動面１１ｃによって規制される。
【００３１】
ユニット化された操作ユニット１０をＩＣレコーダ１に組み付けるには、ＩＣレコーダ１の外装カバー２の取り外し状態にて枠部材１１の固定用突起部１１ｆ，１１ｇを本体３の溝部３ｂ，３ｃに挿入し、取り付け手段であるビス１９をビス挿通穴１１ｄ，１１ｅを挿通させ、本体３側に螺着し、さらに、取り付け手段であるビス２１をビス挿通穴１１ｈに挿通させ、本体３側に螺着して固定する。そのとき、ゴムローラ１６，１７を内側に撓ませながら本体３の凸部３ｄ，３ｅ，３ｆ等が設けられる第一，二のカム面部３ｍ，３ｎに挿入する。上記操作ユニット１０の組み付けによって操作スイッチ機構部２０がＩＣレコーダに組み込まれた状態となる。
【００３２】
また、ゴムローラ１６，１７の交換等で操作ユニット１０を本体３から操作ユニット１０単体をＩＣレコーダ１から取り外す場合、上述した作業と逆の作業により簡単に取り外しが可能である。
【００３３】
次に、上述したＩＣレコーダ１の操作スイッチ機構部２０のスライド操作時の動作状態について、図５，６等を用いて説明する。  
図５は、上記操作スイッチ機構部における操作スイッチ釦のＲＥＣ位置からＲＥＶ位置間のスライド移動時のクリックバネ部材，ゴムローラとＩＣレコーダ本体との相対移動位置関係を示す図である。図６は、上記操作スイッチ機構部における操作スイッチ釦のＳＴＯＰ位置からＲＥＣ位置への移動時のゴムローラとＩＣレコーダ本体との相対移動位置関係を示す動作状態図であって、図６（Ａ）は、操作スイッチ釦がＳＴＯＰ位置にあるとき、図６（Ｂ）〜（Ｄ）は、操作スイッチ釦がＳＴＯＰ位置からＲＥＣ位置に移動する途中、図６（Ｅ）は、操作スイッチ釦がＲＥＣ位置に到達したときの状態をそれぞれ示す。
【００３４】
図５に示すように操作スイッチ釦１２がＲＥＣ位置にあるときは、クリックバネ部材に支持されたゴムローラ１６，１７は、それぞれ本体３の凸部３ｄの＋Ｘ側と、凸部３ｅの−Ｘ側に当接してクリック割り出し位置に保持される。この状態では、ゴムローラ１６は、凸部３ｄの＋Ｘ側の膨らんだカム面に当接し、また、ゴムローラ１７も凸部３ｅの−Ｘ側の上記同様に膨らんだカム面に同等の当接力で当接して保持されることから、操作スイッチ釦１２は、＋，−Ｘ側で片寄ったクリック力を受けることなく、後述するＳＴＯＰ位置にあるときよりも小さいクリック保持力で安定して保持される。
【００３５】
操作スイッチ釦１２をＲＥＣ位置からＳＴＯＰ位置に移動した状態では、ゴムローラ１６は、凸部３ｄの−Ｘ側の凹んだカム面に当接し、また、ゴムローラ１７は、凸部３ｆの＋Ｘ側の上記同様に凹んだカム面に同等の当接力で当接して保持される。従って、操作スイッチ釦１２は、＋，−Ｘ側で片寄ったクリック力を受けることなく、安定した状態で割り出し位置に保持される。
【００３６】
操作スイッチ釦１２をＰＬＡＹ位置に移動させたときは、ゴムローラ１６は、傾斜カム面３ｇの＋Ｘ端のカム面３ｉに当接し、また、ゴムローラ１７は、凸部３ｆの−Ｘ側の膨らんだカム面および傾斜カム面３ｈの＋Ｘ端のカム面３ｊに同等の当接力で当接して保持されることから、操作スイッチ釦１２は、上記ＲＥＣ位置にあるときと略同様なクリック保持力で保持され、安定した状態で割り出し位置に保持される。
【００３７】
さらに、操作スイッチ釦１２をＰＬＡＹ位置からＲＥＶ位置に押圧移動させたときは、ゴムローラ１６，１７は、傾斜カム面３ｇ，３ｈ上を同等の力で当接しながら−Ｘ方向に移動する。そして、押圧操作力を解放すると、ゴムローラ１６，１７は、傾斜カム面３ｇ，３ｈによる＋Ｘ方向の付勢力によって操作スイッチ釦１２は、ＰＬＡＹ位置に戻る。
【００３８】
次に、操作スイッチ釦１２をＳＴＯＰ位置からＲＥＣ位置に移動させる過程について説明すると、ＳＴＯＰ位置にあるときは、ゴムローラ１６，１７は、前述したように図６（Ａ）に示すように凸部３ｄ，３ｆに当接して保持される。そこで、ＲＥＣ位置方向（＋Ｘ方向）に向けて操作スイッチ釦１２を押圧操作すると、図６（Ｂ），（Ｃ），（Ｄ）に示すようにゴムローラ１６側は、凸部３ｄを乗り越えながら移動するが、ゴムローラ１７側は、凸部３ｆと３ｅ間の平面部を移動する。そして、ＲＥＣ位置に到達すると、上述したようにゴムローラ１６，１７は、凸部３ｄと３ｅとでクリック保持される。従って、操作スイッチ釦１２の移動操作中、一方側のゴムローラ１６のみが凸部を乗り越える抵抗力を受け、他方のゴムローラ１７は、平面上を移動すだけであることにから操作スイッチ釦１２を割り出し位置となるＲＥＣ位置に確実に止めることができる。なお、ＳＴＯＰ位置からＰＬＡＹ位置に操作スイッチ釦１２を移動させる場合も、同様の過程を辿り、操作スイッチ釦１２を割り出し位置となるＰＬＡＹ位置に確実に止めることができる。
【００３９】
以上、説明した本実施形態のＩＣレコーダ１の操作スイッチ機構部２０によると、操作スイッチ釦１２のクリック割り出し力を与えるためにクリックバネ部材に回転可能に支持されるツインのゴムローラ１６，１７を本体３側の合成樹脂からなる凸部に当接させるクリック機構を採用しているので、従来の金属ボールを適用するクリック機構に比較して静かな作動音が得られ、めりはりのあるクリック感が得られる。また、頻繁な操作スイッチ釦１２の繰り返し操作に対して摩耗の発生も少なく耐久性が向上する。
【００４０】
ゴムローラ１６，１７は、樹脂製スリーブを介して軸１６ａ，１７ａに回転可能に支持されていることからゴムローラのスムーズな回転が得られ、さらに耐久性も向上する。また、、ゴムローラ１６，１７がスライド方向（Ｘ方向）に対して異なる位置に配置されることからスライド移動中、ゴムローラを支持するクリックバネ部材１５の板バネ部先端部を干渉させることなく、ゴムローラの上下方向（Ｙ方向）をより接近させることが可能となり、操作スイッチ機構部２０のＹ方向の占有スペ−スを減じることができる。
【００４１】
さらに、万一、操作スイッチ機構部２０の操作ユニットの交換、または、修理が必要となった場合、ＩＣレコーダ１の外装カバー２を外すだけで、内部の構成部材を外す等の作業なしに操作ユニット１０のみを本体３から簡単に取り外すことができる。
【００４２】
なお、本発明の要旨は、上述したような音声データ記録装置に限らず、他の電子機器におけるスライド操作可能な操作スイッチ機構にも適用可能である。
【産業上の利用可能性】
【００４３】
本発明による操作スイッチ機構は、スライド操作を行う操作スイッチ機構に利用することができる。
【図面の簡単な説明】
【００４４】
【図１】本発明の一実施形態である操作スイッチ機構部が組み込まれるデータ記録再生装置としてのＩＣレコーダの外観を示す斜視図である。
【図２】図１のＩＣレコーダに組み込まれる上記操作スイッチ機構部の分解斜視図である。
【図３】図２の操作スイッチ機構部を構成する操作ユニットの斜視図である。
【図４】図２の操作スイッチ機構部によってオンオフが切り換えられる操作スイッチ群の配置図である。
【図５】図２の操作スイッチ機構部における操作スイッチ釦のＲＥＣ位置からＲＥＶ位置間のスライド移動時のクリックバネ部材，ゴムローラとＩＣレコーダ本体との相対移動位置関係を示す図である。
【図６】図２の操作スイッチ機構部における操作スイッチ釦のＳＴＯＰ位置からＲＥＣ位置への移動時のゴムローラとＩＣレコーダ本体との相対移動位置関係を示す動作状態図であって、図６（Ａ）は、操作スイッチ釦がＳＴＯＰ位置にあるときの状態、図６（Ｂ）〜（Ｄ）は、操作スイッチ釦がＳＴＯＰ位置からＲＥＣ位置に移動する途中の状態、図６（Ｅ）は、操作スイッチ釦がＲＥＣ位置に到達したときの状態をそれぞれ示す。
【符号の説明】
【００４５】
３  …本体（第一の部材）
３ｄ…上側の凸部（凸部）
３ｅ，３ｆ
…下側の凸部（凸部）
３ｍ…第一のカム面部（第一のカム面）
３ｎ…第二のカム面部（第二のカム面）
１１  …枠部材（第三の部材）
１２  …操作スイッチ釦（スライド操作部材）
１５  …クリックバネ部材（第二の部材）
１５ｂ，１５ｃ
…板バネ部（付勢手段，弾性バネ，板バネ状部材）
１６  …ゴムローラ（第一のローラ）
１６ａ，１７ａ
…軸（回転軸）
１７  …ゴムローラ（第二のローラ）
１９，２１
…ビス（取り付け手段）
２０  …操作スイッチ機構部（操作スイッチ機構）
Ｌ1 ，Ｌ2 
…バネ有効長
（板バネ状部材の支点部分から
ローラの保持部分までの長さ）
代理人      弁理士    伊  藤    進
【図１】
2005302580.tif 000003
【図２】
2005302580.tif 000004
【図３】
2005302580.tif 000005
【図４】
2005302580.tif 000006
【図５】
2005302580.tif 000007
【図６】
2005302580.tif 000008